(57)【要約】【課題】  ファスナーの開放可能なファスナー解除具、ファスナーの解除と気嚢の膨張とを可能とする自動膨張装置及びこれを備えた救命胴衣を提供すること。【解決手段】  収納部を閉鎖するファスナーのとじ合わせ末端を押さえる押さえ板と、前記押さえ板による前記とじ合わせ末端の押さえを解除可能に前記押さえ板を付勢する付勢手段と、前記押さえ板による前記とじ合わせ末端を固定状態に維持するように、前記押さえ板を係止する押さえ板係止手段とを備えて成るファスナー解除具、前記ファスナー解除具と、ガスボンベと、シート破断具と、前記押さえ板係止手段の動きと連動し、前記シート破断具で前記シートを破断させるシート破断具推進手段と、前記ガスボンベ内の加圧ガスを気嚢に導出するガス導出路と、を備えてなる自動膨張装置、これを備える救命胴衣。【選択図】          図１
2007022341.tif 000002
【特許請求の範囲】
【請求項１】
収納部を閉鎖するファスナーのとじ合わせ末端を押さえる押さえ板と、前記押さえ板による前記とじ合わせ末端の押さえを解除可能に前記押さえ板を付勢する付勢手段と、前記押さえ板による前記とじ合わせ末端を固定状態に維持するように、前記押さえ板を係止する押さえ板係止手段とを備えて成ることを特徴とするファスナー解除具。
【請求項２】
前記請求項１に記載の収納部に気嚢が収納されてなる前記請求項１に記載のファスナー解除具と、破断可能なシートで開口部が閉鎖されてなり、内部に加圧ガスを封入して成るガスボンベと、シートに臨んで配置されるシート破断具と、前記押さえ板による前記とじ合わせ末端の固定状態を非固定状態にする前記押さえ板係止手段の動きと連動し、前記シート破断具を前記シートに向けて前進させて前記シートを破断させるシート破断具推進手段と、前記ガスボンベ内の加圧ガスを気嚢に導出するガス導出路と、を備えてなる自動膨張装置。
【請求項３】
シート破断具推進手段が、手動で前記シート破断具を推進可能に形成されてなる前記請求項２に記載の自動膨張装置。
【請求項４】
海水電池を備え、前記シート破断具推進手段は、前記海水電池の通電により前記シート破断具を推進可能に形成されてなる前記請求項２又は３に記載の自動膨張装置。
【請求項５】
前記請求項２〜４のいずれか一項に記載の自動膨張装置を備えてなることを特徴とする救命胴衣。
【発明の詳細な説明】
【技術分野】
【０００１】
この発明はファスナー解除具、自動膨張装置及び救命胴衣に関し、さらに詳しくは、簡単な操作でファスナーを解除することのできるファスナー解除具、簡単な操作でファスナーを解除することのできるとともに、救命胴衣、救命ゴムボート等に装備される気嚢にガスを導入してこれを容易に膨満させることのできる自動膨張装置、及びこの自動膨張装置を有することにより、救命胴衣に装備された気嚢を簡単な操作により膨満させることのできる救命胴衣に関する。
【背景技術】
【０００２】
従来、救命胴衣に関して特許文献１〜３に記載の発明がある。
【０００３】
【特許文献１】特開平８−２３０７７８号公報
【特許文献２】特開２００２−３６２４８２号公報
【特許文献３】特開２００４−２４４００９号公報
【０００４】
特許文献１に記載の発明は、「背部と、左前部と、右前部とを有するチョッキ状の救命胴衣であって、前記背部、左前部、及び右前部それぞれの内部内側に複数の空気室に仕切られた空気要領張設可能なエアーマットを内設すると共に、前記背部、左前部、及び右前部それぞれの内部外側に合成樹脂発砲体を内設したことを特徴とする救命胴衣」である（特許文献１の請求項１参照）。この救命胴衣におけるエアーマットに空気を送り込んで此を膨満させる手段は、「少なくともエアーマットの空気室に空気を供給する空気ポンプ」である（特許文献１の請求項３を参照）。この特許文献１においては、前記空気ポンプとして「種々のものが使用できる」と記載している（特許文献１の［００２４］参照）が、特許文献１の全記載を参照してもその具体的記述がなく、図面を参照して判断すると、手でボールを握ったり握り離したりして空気を送り込む手段が開示されていると理解される。
【０００５】
特許文献２に記載の救命胴衣は、「水平な首部分とこの首部分より垂直に伸張する２つの胸部分を有する気嚢と、前記気嚢を包み込むための外被と、前記首部分の外被側に取り付けられ、前記気嚢に気体を注入するためのボンベと、前記ボンベに接続し、かつボンベを作動させるための作動索とを有する救命胴衣」が開示されている（特許文献２の請求項１参照）。この救命胴衣におけるボンベから気嚢中に気体を導入する方法について、「作動索３の一端はボンベ２のカッター部分２１に接続しており」との記載（特許文献２の［００１２］参照）「作動索３を引っ張ると、ボンベ２のカッター部分２１を引っ張ることになり、ボンベ２が作動して、前記気嚢１中に圧縮気体（例えば炭酸ガス）を注入」することができるようになっているとの記載（特許文献２の［００１６］参照）があり、ボンベ２内の圧縮空気をカッター部分２１で如何にして気嚢１に導入するのかその構造、カッター部分２１についての具体的構造等についての記載が特許文献２にはない。
【０００６】
特許文献３に開示されている常時着用型救命胴衣は、「左右二つの内側気室カバーと左右二つの外側気室カバーよりなる袋状前身ごろとメッシュ製胴衣背当部を結合してなる袖無し胴衣であって、胴衣背当部上部を通過し、左右二つの袋状前身ごろの内面に長尺の浮力体が収納され、該浮力体に連通する自動ガス充気装置が取り付けられ、互いに対向する内側気室カバーと外側気室カバーよりなる袋状前身ごろの脇縁に設けた二つの前身ごろの面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、メッシュ製胴衣背当部上縁が袋状前身ごろの襟元部と結合され、袋状前身ごろの襟の外縁とメッシュ製胴衣背当部が面ファスナーによって固定されてなることを特徴とする」（特許文献３の請求項１参照）。
【０００７】
特許文献３に記載された救命胴衣に装備されている自動ガス充気装置は、「通常、主要部品が膨脹用カートリッジ９、作動レバー１３、撃針、ボンベの封緘板、小型ガスボンベ７よりなっている。膨脹用カートリッジ９は、キャップ１１を取り外し自動ガス充気装置Ｂ内に装填することができる。その装填状況は膨脹用カートリッジ充填確認窓１２によって確認することができる。救命胴衣着用者の落水等により、常時着用型救命胴衣Ａが水に沈むと、注水孔８より水が浸入し、すぐ近くにある膨脹用カートリッジ９の水浸入小孔１０から内部に入り、紙芯が溶け自動ガス充気装置Ｂが作動しガスを噴出することができる。水浸入小孔１０から浸入した水によって紙芯が濡れて溶けると、紙芯によって圧縮状態で固定されていた連結スプリングが作動し、自動的に作動レバー１３が撃針を駆動して小型ガスボンベ７の封緘板を貫通させ、小型ガスボンベ７からガスが噴出し連通している浮力体４に注入する方式になっている。自動ガス充気装置Ｂの注水孔８から水が入った後、小型ガスボンベ７からガスが噴出し、連通している浮力体４に注入するまでは瞬時に起こるように設計、製作されている」（特許文献３の［００１０］参照）。
【発明の開示】
【発明が解決しようとする課題】
【０００８】
この発明は、面ファスナーではなく、通常のファスナーすなわちスライドファスナーを簡単に開放することのできるファスナー解除具を提供することを課題とする。
【０００９】
この発明は、通常のファスナーを容易に解除することができるとともに、解除されたファスナーによりそれまで閉鎖されていた収納部に収納された気嚢を容易に膨満させることのできる自動膨張装置を提供することを課題とする。
【００１０】
この発明は、前記自動膨張装置を備えた救命胴衣を提供することを課題とする。
【課題を解決するための手段】
【００１１】
前記課題を解決するための手段として、
請求項１は、収納部を閉鎖するファスナーのとじ合わせ末端を押さえる押さえ板と、前記押さえ板による前記とじ合わせ末端の押さえを解除可能に前記押さえ板を付勢する付勢手段と、前記押さえ板による前記とじ合わせ末端を固定状態に維持するように、前記押さえ板を係止する押さえ板係止手段とを備えて成ることを特徴とするファスナー解除具であり、
請求項２は、前記請求項１に記載の収納部に気嚢が収納されてなる前記請求項１に記載のファスナー解除具と、破断可能なシートで開口部が閉鎖されてなり、内部に加圧ガスを封入して成るガスボンベと、シートに臨んで配置されるシート破断具と、前記押さえ板による前記とじ合わせ末端の固定状態を非固定状態にする前記押さえ板係止手段の動きと連動し、前記シート破断具を前記シートに向けて前進させて前記シートを破断させるシート破断具推進手段と、前記ガスボンベ内の加圧ガスを気嚢に導出するガス導出路と、を備えてなる自動膨張装置であり、
請求項３は、シート破断具推進手段が、手動で前記シート破断具を推進可能に形成されてなる前記請求項２に記載の自動膨張装置であり、
請求項４は、海水電池を備え、前記シート破断具推進手段は、前記海水電池の通電により前記シート破断具を推進可能に形成されてなる前記請求項２又は３に記載の自動膨張装置であり、
請求項５は、前記請求項２〜４のいずれか一項に記載の自動膨張装置を備えてなることを特徴とする救命胴衣である。
【発明の効果】
【００１２】
この発明によると、押さえ板係止手段による押さえ板の係止を解除すると、付勢手段の付勢力により押さえ板がファスナー末端の押さえが解除されることにより、ファスナーが外れるので、簡単にファスナー解除を行うことのできるファスナー解除具が提供される。
【００１３】
この発明によると、押さえ板係止手段とシート破断具推進手段とが連動する自動膨張装置が提供される。この自動膨張装置によると、押さえ板係止手段による押さえ板の係止が解除されると、付勢手段の付勢力により押さえ板がファスナー末端の押さえが解除されることにより、ファスナーが外れる。このような押さえ板係止手段の動きと連動して、シート破断具推進手段によりシード破断具が前記シートに向けて前進して前記シートを破断することにより、ガスボンベ内の加圧ガスがガスボンベ内から噴出し、その加圧ガスがガス導出路を通じて気嚢に供給され、気嚢がその加圧ガスにより膨満する。したがって、この発明によると、シート破断具推進手段又は押さえ板係止手段を動作させるだけで、気嚢を収納する収納部を閉鎖していたファスナーを開放すると同時に前記気嚢を膨満させることができる自動膨張装置を提供することができる。
【００１４】
この発明によると、シート破断具推進手段を手動で操作することによりシート破断具推進手段によりシート破断具によるシートの破断と押さえ係止手段による押さえ板の係止状態の解除とが連動して行われて、気嚢を収納する収納部を閉鎖していたファスナーを開放すると同時に前記気嚢を膨満させることができる自動膨張装置を提供することができる。また、この発明によると、救命ゴムボート、救命胴衣等の必要に応じて膨張させなければならない気嚢を急速膨張可能にする自動膨張装置を提供することができる。
【００１５】
この発明によると、海水電池を備えているので、海水に浸漬されると海水電池の通電により、シート破断具推進手段によりシート破断具によるシートの破断と押さえ係止手段による押さえ板の係止状態の解除とが連動して自動的に行われて、気嚢を収納する収納部を閉鎖していたファスナーを開放すると同時に前記気嚢を膨満させることができる自動膨張装置を提供することができる。
【００１６】
この発明によると、前記請求項２〜４のいずれか一項に記載の自動膨張装置を備えているので、簡単な操作で気嚢と膨満させることのできる救命胴衣を提供することができる。
【発明を実施するための最良の形態】
【００１７】
この発明の一例である自動膨張装置を、図面を参照しながら、説明する。
【００１８】
図１は、この発明の一例である自動膨張装置１を示す断面説明図である。図１に示されるように、この自動膨張装置１は、器具本体２と、押さえ板３と、押さえ板付勢部材４と、押さえ板係止手段５と、シート破断具推進手段６と、シート破断具７と、ガスボンベ８と、ガス導出路９と、海水電池１０と、スライド片１１と、係止解除片１２とを備えてなる。
【００１９】
前記器具本体２は、前記押さえ板３と、押さえ板付勢部材４と、押さえ板係止手段５と、シート破断具推進手段６と、シート破断具７と、ガスボンベ８と、ガス導出路９と、海水電池１０と、スライド片１１と、係止解除片１２とを装着するための基材であり、図１及び図２に示されるように、略正方形盤状に形成される。この器具本体２には、前記シート破断具推進手段６と、シート破断具７と、スライド片１１と、係止解除片１２とを内装する内装室１３が設けられている。
【００２０】
前記押さえ板３は、ファスナーのとじ合わせ末端を前記器具本体２に対して押させるとともに、前記器具本体２から離れることによりファスナーのとじ合わせ末端（「とじ合わせ」を「噛み合わせ」とも称する。）の押さえを解除するように形成されるのであって、図１に示されるように、ファスナーのとじ合わせ末端に当接する略長方形の平板部１４と、この平板部１４の下面に下方に向かって立設形成された、係合部１５を有する立設片１６とを備える。前記器具本体２における前記押さえ板３に臨む部位には、凹陥部１７が設けられ、この凹陥部１７には前記押さえ板３とでファスナーのとじ合わせ末端を挟み込む平板部１４を有する押さえ基板部材１８が嵌め込まれている。この押さえ基板部材１８は、取り付け部材例えばボルト１９によって前記凹陥部１７に固定される。また、この押さえ基板部材１８には、前記押さえ板３を前記押さえ基板部材１８から離れるように付勢する押さえ板付勢部材４例えばコイルスプリングが装着されている。
【００２１】
前記押さえ板係止手段５は、前記押さえ板３を前記押さえ板付勢部材４の付勢力に抗して押さえ基板部材１８の平板部１４に近接させたときに前記押さえ板３の係合部１５に係止する係止部２０を備えた第１回動片２１と、前記係合部１５に係止する係止部２０を前記係合部１５から離れるようにこの第１回動片２１を回動可能に取り付ける第１ピン２２とを備える。この第１回動片２１は、湾曲状切り欠き部２３を備える。
【００２２】
前記ガスボンベ８は、圧縮ガスを充填しており、その開口部には耐圧性のシート２４が張設され、その開口部が器具本体２に装着される。
【００２３】
器具本体２には、前記ガスボンベ８の開口部を装着することができるように有底円筒状に形成された装着開口部２５が形成され、この装着開口部２５の底面に形成された小径の貫通孔つまり小径貫通２６とこの小径貫通孔２６に同心に連通する大径の大径貫通孔２７とが形成される。この大径貫通孔２７には、シート破断具７に付勢力を与えるシート破断具付勢部材２８例えばコイルスプリングが装着され、このコイルスプリングの付勢力により前記装着開口部２５から遠ざかる方向に付勢されたシート破断具７も配設される。
【００２４】
このシート破断具７は、先端部に鋭利な錐状の刃部２９とこの刃部２９を支持する基部３０を有する。前記基部３０は前記大径貫通孔２７内を摺動前進可能な直径を有する円筒体部と前記刃部２９とは反対側の端部に形成された半球状部３１とを有してなる。このシート破断具７は、前記ガスボンベ８の装着開口部２５からわずかに離れる距離をもって前記刃部２９の先端が前記装着開口部２５に臨むように、前記小径貫通孔２６及び大径貫通孔２７に配置される。
【００２５】
前記シート破断具推進手段６は、前記第１ピン２２に回動可能に保持された第２回動片３２と、前記第２ピン３３に回動可能に支持された操作片３４と、この操作片３４を回動させることができる、引き索３５及び末端保持部３６とを有する。
【００２６】
前記第２回動片３２は、前記第１回動片２１と一体になった一枚板となっている。この第２回動片３２は、前記シート破断具７における半球状部３１に接する作用部３７を備える。この作用部３７は、第１ピン２２を中心してこの第２回動片３２が回動すると、前記シート破断具７における半球状部３１に接しつつ前記シート破断具７をコイルスプリングによる付勢力に抗して前記シート破断具７を前進させることができるように、前記半球状部３１に臨んで凹状に窪んだ湾曲面に形成される。この第２回動片３２が回動することにより前記シート破断具７を前記作用部３７により前進させると、第１回動片２１も第１ピン２２を中心に回動して係合部１５から係止部２０が離脱する。したがって、この第１回動片２１と第２回動片３２との協働は、シート破断具７の動作と押さえ板係止手段５の動作とが連動していることを、示す。
【００２７】
前記操作片３４は、第２ピン３３を中心にして回動する長腕片３８とこの長腕片３８に一体に形成された短腕片３９とを備え、前記長腕片３８を回動させるとこの長腕片３８に連動して前記短腕片３９が前記第２回動片３２を押動するように形成される。
【００２８】
また、前記第２回動片３２には、前記操作片３４における短腕片３９により第２回動片３２が回動することによりシート破断具７がシート２４を破断した後に前記コイルスプリングの付勢力により前記シート破断具７が後進して元の位置に戻ることができるように第２回動片３２が逆方向に回動し、これによって第２回動片３２の元の位置に戻ることができるように前記湾曲面の反対側に案内凹部４０が、形成される。
【００２９】
前記長腕片３８には、所定長さの引き索３５が取り付けられ、この引き索３５の末端には末端保持部３６が取り付けられる。末端保持部３６は、この引き索３５を掴んで引き索３５を引っ張るときにこの引き索３５を握った手から引き索３５が抜け出ないようにし、また、この引き索３５の存在を容易に視認させることができる。
【００３０】
前記器具本体２には、海水電池１０、起動装置４１、スライド片１１、スライド片付勢部材４２、及び係止解除片１２を備える。前記海水電池１０は海水がその内部に浸入すると通電するように形成される。海水電池１０は市販品を採用することができる。この器具本体２に組み込まれた起動装置４１は、前記海水電池１０が通電すると起爆するように形成された点火薬（図示せず。）、点火薬の点火により急速燃焼してガス圧を発生させるガス発生薬（図示せず。）、このガス発生薬の燃焼により発生するガス圧によりＯ−リング４３の規制を解除してスライド片１１を発進させる規制部材（図示せず。）を有してなる。この器具本体２には、前記起爆装置を装着する空間としての装着凹陥部１７と内装室１３とを貫通する貫通孔４２が形成される。この貫通孔４２には、スライド片１１を摺動可能に備える。スライド片１１の外周面にはＯ−リング４４が装着されて貫通孔４２の内周面とスライド片１１の外周面との間隙からガスが漏出しないようになっている。この貫通孔４２は、円筒状の内周面を有する。前記スライド片１１は、円筒状の内周面を摺動可能な外周面を備えた円筒状に形成される。前記内装室１３には、このスライド片１１に接するように、係止解除片１２が第３ピン４３により回動可能に装着される。この係止解除片１２は、前記スライド片１１の押動により第３ピン４３を中心にして回動すると、前記第１回動片２１を回動させて係合部１５と係止部２０との係合状態を解除することができるように、内装室１３に配設される。なお、前記第１回動片２１における係止解除片１２に臨む部位に設けられた湾曲状切り欠き部２３は、係止解除片１２が回動して前記係合状態を解除した後に係止解除片１２を受け入れて第１回動片２１自体を元の位置に戻すことができるような形状に設計されている。この湾曲状切り欠き部２３が第１回動片２１に形成されていることにより、第１回動片２１が元の位置に戻ると第２回動片３２も元の位置にもどり、第２回動片３２が元の位置に戻ることによりシート破断具７がコイルスプリングの付勢力により元の位置に戻り、したがってシート２４から刃部２９が引き抜かれてシート２４に破断穴が露わになってガス噴出が円滑に可能になる。
【００３１】
前記ガス導出路９は、前記大径貫通孔２７に連通して設けられ、このガス導出路９のこの器具本体２における出口には、救命胴衣（図示せず。）中に仕込まれた気嚢（図示せず。）に通じるガス導出管（図示せず。）が装着される。
【００３２】
この自動膨張装置１は、救命胴衣に装着される。
【００３３】
この救命胴衣としては、ジャケット、チョッキ、ベスト等の様々のタイプの服装を採用することができる。この救命胴衣は、折り畳んだ状態、又は縮小した状態等の容積を小さくした状態にされた気嚢が、胴衣に形成されたポケット状の収納部に収納される。収納部の開口部にはファスナーが取り付けられ、この収納部に気嚢を収納してから前記ファスナーにより収納部の開口部が閉鎖されている。収納部の開口部を閉鎖するファスナーとしてはトップオープンファスナーを採用するのが、好ましい。以下においてはトップオープンファスナーを採用した例を示している。
【００３４】
なお、トップオープンファスナーはスライドファスナーの一種である。スライドファスナーは公知の通り、長尺の布で形成されたテープの長尺片に多数のエレメントが取り付けられ、そのエレメントの列の一端には下止めが、また他端には上止めが取り付けられる。また、いずれかのエレメントの列にはスライダーが装着される。スライドファスナーを閉じる一例においては、一方のエレメント列の他端に位置させたスライダーに他方のエレメント列の下止めを挿入し、その後にスライダーをエレメント列に添って引き動かすと一方のエレメント列と他方のエレメント列とが噛み合う。
【００３５】
トップオープンファスナーは、一方のエレメント列と他方のエレメント列との長さが相違しており、下止めからスライダーを引き上げて一方のエレメント列と他方のエレメント列とを噛み合わせ、さらにスライダーを長いほうのエレメント列の他端にまで引き上げると噛み合ったエレメント列が容易に外れる状態になるように形成されている。
【００３６】
この救命胴衣においては、収納部の開口部を閉鎖したトップオープンファスナーにおけるエレメント列を噛み合わせたその末端部を、この自動膨張装置１における押さえ板３と平板部１４とで挟み込み、係合部１５を第１回動片２１の係止部２０で係止することにより、トップオープンファスナーのエレメント列の噛み合わせが解除されることのないように、自動膨張装置１がこの救命胴衣に装着されている。そして、収納部内に収納された気嚢とこの自動膨張装置１のガス導出路９とがガス導出管（図示せず。）で結合されている。
【００３７】
この発明の自動膨張装置１の作用について説明する。
【００３８】
この自動膨張装置１を装備する救命胴衣を、緊急事態においてこの救命胴衣の着用を必要とする人例えばパイロットが着用する。パイロットが緊急事態として海上に着水した場合を想定する。
【００３９】
その海上に着水したパイロットが、図１に示される引き索３５を引っ張る。図２に示されるように、操作片３４が第２ピン３３を中心にして回動する。操作片３４の回動により、短腕片３９が、第２回動片３２を、第１ピン２２を中心にして、回動させる。第２回動片３２が回動すると、第２回動片３２における凹状湾曲面である作用部３７がシート破断具３０における半球状部３１を押動し、これによりシート破断具７が、コイルスプリングの付勢力に抗して、大径貫通孔２７中を、シート２４に向かって前進する。前進したシート破断具７の刃部２９が開口部におけるシート２４を突き破る。一方、第２回動片３２の回動に連動して第１回動片２１も回動する。第１回動片２１の回動により、係合部１５に係止していた係止部２０が係合部１５から離脱する。係止部２０の離脱により、押さえ板付勢部材４による付勢力により押さえ板３が平板部１４から離脱する。つまり前記押さえ板３と平板部１４とで挟まれ、かつ押さえられていた一対のエレメント列の端部が押さえなしの状態になる。
【００４０】
図３に示されるように、短腕片３９がさらに回動すると、短腕片３９の先端部が案内凹部４０に填り込む。そうすると、コイルスプリングに付勢されたシート破断具７が大径貫通孔２７内を破断したシート２４から離れるように移動する。ソート破断具の移動により、刃部２９がシート２４から離れてしまい、シート２４に形成された刃部２９による穴が露出する。この穴からガスボンベ８内の高圧ガスが大径貫通孔２７に噴出する。噴出したガスがガス導出路９及びガス導出管を介して気嚢に導出される。導入されたガスによって気嚢が膨満する。気嚢が膨満すると、収縮状態であった気嚢を収容していた収容部の開口部を閉鎖していたトップオープンファスナーのエレメント列の噛み合いを解除し、換言すると、トップオープンファスナーにおける一対のエレメント列の噛み合いを一挙に解消し、トップオープンファスナーがはじけて一対のエレメント列を有する開口部が開く。それまで閉じていた開口部が開くと、ガスが導入されて膨満した気嚢が収容部から飛び出して、パイロットの首周りに膨満状態となった気嚢が海上に浮く。膨満状態となった気嚢がパイロットの首周りに存在するので、海上に存在するパイロットは海中に沈潜することなく、期待される救助をパイロットは海上浮遊状態で待つことになる。
【００４１】
以上の動作は手動である。次に自動操作をする自動膨張装置１の作用について説明する。
【００４２】
前述したようにこの救命胴衣を着衣したパイロットが海上に着水したとする。図４に示されるように、海水に着水するとこの自動膨張装置１における海水電池１０に海水が浸入する。海水の浸入により海水電池１０で発生する電流が起動装置４１内に流れる。通電により、起動装置４１内では、着火薬が発火し、この着火薬の着火によりガス発生薬が発火して瞬時に高圧ガスが発生する。図４に示されるように、この高圧ガスの発生により生じたガス圧によりスライド片１１が弾発的に係止解除片１２に衝突する。衝突により係止解除片１２が第３ピン４３を中心にして回動することにより、第１回動片２１を第１ピン２２を中心にして回動させる。第１回動片２１が回動すると、第１回動片２１の回動により、係合部１５に係止していた係止部２０が係合部１５から離脱する。係止部２０の離脱により、押さえ板付勢部材４による付勢力により押さえ板３が平板部１４から離脱する。つまり前記押さえ板３と平板部１４とで挟まれ、かつ押さえられていた一対のエレメント列の端部が押さえなしの状態になる。
【００４３】
一方、前記第１回動片２１が回動すると、この第１回動片２１の回動に連動して第２回動片３２が回動する。第２回動片３２が回動すると、第２回動片３２における凹状湾曲面の作用部３７がシート破断具７における半球状部３１を押動し、これによりシート破断具７が、コイルスプリングの付勢力に抗して、大径貫通孔２７中を、シート２４に向かって前進する。前進したシート破断具７の刃部２９が開口部におけるシート２４を突き破る。
【００４４】
図５に示されるように、前記係止解除片１２がスライド片１１の衝突によって回動し続けると、この係止解除片１２が第１回動片２１の湾曲状切り欠き部２３に填る。シート破断具７がシート破断具付勢部材２８により付勢されているので、シート破断具７がガスボンベ８から遠ざかる方向に元の位置に戻る。シート破断具７が元の位置に戻ることにより第２回動片３２を逆方向に回動させ、この第２回動片３２の逆方向への回動に連動して第１回動片２１もまた逆方向に回動する。換言すると、湾曲状切り欠き部２３が第１回動片２１に設けられているので、第１回動片２１が逆方向に回動することができるようになり、第１回動片２１が逆方向に回動することができるので第１回動片２１と一体に形成されている第２回動片３２がシート破断具付勢部材２８によりシート破断具７が逆進可能になってシート２４から刃部２９が引き抜かれてシート２４からの高圧ガスの噴出が円滑に行われるようになるのである。
【００４５】
シート２４に形成されたこの穴からガスボンベ８内の高圧ガスが大径貫通孔２７に噴出する。噴出したガスがガス導出路９及びガス導出管を介して気嚢に導出される。導入されたガスによって気嚢が膨満する。気嚢が膨満すると、収縮状態であった気嚢を収容していた収容部の開口部を閉鎖していたトップオープンファスナーのエレメント列の噛み合いを解除し、換言すると、トップオープンファスナーにおける一対のエレメント列の噛み合いを一挙に解消し、トップオープンファスナーがはじけて一対のエレメント列を有する開口部が開く。それまで閉じていた開口部が開くと、ガスが導入されて膨満した気嚢が収容部から飛び出して、パイロットの首周りに膨満状態となった気嚢が海上に浮く。膨満状態となった気嚢がパイロットの首周りに存在するので、海上に存在するパイロットは海中に沈潜することなく、期待される救助をパイロットは海上浮遊状態で待つことになる。
【００４６】
以上、この発明の一実施例について説明したが、この発明は前記一実施例に限定されるものではなく、この発明の特徴を有する限り様々の設計変更が可能である。この発明に係る自動膨張装置は、前記救命胴衣のみならず、救命ボート、救命ラフト等の、膨張を必要とする気嚢を備えた種々の装置に適用することができる。
【図面の簡単な説明】
【００４７】
【図１】図１はこの発明の一実施例である自動膨張装置を示す断面説明図である。
【図２】図２は前記自動膨張装置を手動で操作する場合の動きを示す説明図である。
【図３】図３は前記自動膨張装置を手動で操作する場合の動きを示す説明図である。
【図４】図４は前記自動膨張装置を自動で操作する場合の動きを示す説明図である。
【図５】図５は前記自動膨張装置を自動で操作する場合の動きを示す説明図である。
【符号の説明】
【００４８】
１        自動膨張装置
２        器具本体
３        押さえ板
４        押さえ板付勢部材
５        押さえ板係止手段
６        シート破断具推進手段
７        シート破断具
８        ガスボンベ
９        ガス導出路
１０      海水電池
１１      スライド片
１２      係止解除片
１３      内装室
１４      平板部
１５      係合部
１６      立設片
１７      凹陥部
１８      基板部材
１９      取り付け部材（例えばボルト）
２０      係止部
２１      第１回動片
２２      第１ピン
２３      湾曲状切り欠き部
２４      シート
２５      装着開口部
２６      小径貫通
２７      大径貫通孔
２８      シート破断具付勢部材
２９      刃部
３０      基部
３１      半球状部
３２      第２回動片
３３      第２ピン
３４      操作片
３５      引き索
３６      末端保持部
３７      作用部
３８      長腕片
３９      短腕片
４０      案内凹部
４１      起動装置
４２      貫通孔
４３      第３ピン
４４      Ｏ−リング
【図１】
2007022341.tif 000003
【図２】
2007022341.tif 000004
【図３】
2007022341.tif 000005
【図４】
2007022341.tif 000006
【図５】
2007022341.tif 000007